(57)【特許請求の範囲】
【請求項１】
スプール軸に軸受を介して回転自在に装着されるスピニングリールのスプールであって、
前記軸受が収納される少なくとも一部が金属製の軸受収納部と、
前記軸受収納部が設けられ外周に釣り糸が巻き付けられる合成樹脂製の糸巻胴部と、
前記糸巻胴部の前後に配置された大径の前後のフランジ部と、
前記後フランジ部の外周部から後方に延びるスカート部と、を備え、
前記後フランジ部は、前記糸巻胴部の後面に固定され、
前記金属製の軸受収納部は、前記後フランジ部及び前記スカート部と一体形成されている、スピニングリールのスプール。
【請求項２】
前記軸受収納部は、前記軸受が収納される金属製の第１筒状部と、前記第１筒状部を覆う合成樹脂製の第２筒状部とを有する、請求項１に記載のスピニングリールのスプール。
【請求項３】
前記糸巻胴部は、前記釣り糸が巻き付けられる外周部が金属薄板製の外装部材で覆われており、
前記外装部材の後端部は、前記後フランジ部に形成された環状部に嵌め込まれている、請求項１又は２に記載のスピニングリールのスプール。
【請求項４】
スプール軸に軸受を介して回転自在に装着されるスピニングリールのスプールであって、
後面に環状溝が形成され、外周に釣り糸が巻き付けられる合成樹脂製の糸巻胴部と、
前記軸受が着脱可能に収納される金属製の筒状部と、前記筒状部と一体形成され前記環状溝に係合して装着され前記糸巻胴部の後面に固定された円板部とを有し、前記スプール着脱時に前記軸受が前記筒状部から外れる軸受収納部と、
前記糸巻胴部の前後に配置された大径の前後のフランジ部と、
前記後フランジ部の外周部から後方に延びるスカート部と、
を備えたスピニングリールのスプール。
【請求項５】
前記糸巻胴部は、前記釣り糸が巻き付けられる外周部が金属薄板製の外装部材で覆われている、請求項４に記載のスピニングリールのスプール。
【請求項６】
前記スカート部は、前記外装部材と一体形成されている、請求項５に記載のスピニングリールのスプール。
【発明の詳細な説明】
【０００１】
【発明の属する技術分野】
本発明と、糸巻用のスプール、特に、スプール軸に軸受を介して回転自在に装着されるスピニングリールのスプールに関する。
【０００２】
【従来の技術】
一般にスピニングリールは、ハンドルを回転自在に支持するリール本体と、リール本体に回転自在に装着された釣り糸案内用のロータと、ロータにより案内された釣り糸を巻き付けるスプールとを備えている。スピニングリールのスプールは、リール本体に対して前後移動自在であり、釣り糸が巻かれる糸巻胴部と、糸巻胴部の前端に配置され糸巻胴部の外径より大きい外径を有する前フランジ部と、糸巻胴部の後方に設けられた筒状のスカート部とを備えている。
【０００３】
このようなスプールにおいて、コストを低減してスプール全体の軽量化を図るために、糸巻胴部がたとえば合成樹脂により形成されたものが知られている。また、ドラグ性能を向上させるために、スプール軸に軸受を介して回転自在に装着されたものも知られている。軸受は糸巻胴部の内周面とスプール軸との間に装着されている。
【０００４】
【発明が解決しようとする課題】
前記従来の合成樹脂製で軸受によりスプール軸に支持されたスプールでは、糸巻胴部が比較的強度が低い合成樹脂製であるので、釣り糸が強く巻き付けられ圧縮力が作用すると糸巻胴部が圧縮変形するおそれがある。糸巻胴部が圧縮変形すると、糸巻胴部の内周面に装着された軸受が抜けにくくなり、軸受の取り外しや交換を行いにくくなるという問題が生じる。
【０００５】
本発明の課題は、スピニングリールのスプールにおいて、糸巻胴部に圧縮力が作用しても、軸受の取り外しや交換を行いやすくすることにある。
【０００６】
【課題を解決するための手段】
発明１に係るスピニングリールのスプールは、スプール軸に軸受を介して回転自在に装着されるスプールであって、軸受収納部と、糸巻胴部と、前後のフランジ部と、スカート部とを備えている。軸受収納部は、軸受が収納される少なくとも一部が金属製のものである。糸巻胴部は、軸受収納部が設けられ外周に釣り糸が巻き付けられる合成樹脂製のものである。前後のフランジ部は、糸巻胴部の前後に配置された大径のものである。スカート部は、後フランジ部の外周部から後方に延びるものである。また、金属製の軸受収納部は、後フランジ部及びスカート部と一体形成されている。
【０００７】
このスプールでは、糸巻胴部はコストを低減して軽量化を図るために合成樹脂製である。しかし、糸巻胴部に設けられる軸受収納部は、強度を考慮して少なくとも一部を合成樹脂より強度が高い金属製にして補強している。ここでは、軸受収納部の少なくとも一部を合成樹脂より強度が高い金属製にして補強しているので、軸受収納部は圧縮しにくくなり、糸巻胴部に圧縮力が作用しても、軸受の取り外しや交換を行いやすくなる。また、糸巻胴部の径がロータの円筒部の径より小さくなってもロータの周囲をスカート部で覆うことができ、釣り糸の絡みつきを防止できる。さらに、軸受収納部と後フランジ部とを一体形成しているので、糸巻胴部の後部の補強を兼ねることができる。
【０００８】
発明２に係るスピニングリールのスプールは、発明１に記載のスプールにおいて、軸受収納部は、軸受が収納される金属製の第１筒状部と、第１筒状部を覆う合成樹脂製の第２筒状部とを有する。この場合には、金属製の第１筒状部で補強できるとともに、全体を金属製にする場合に比べて軽量化を図ることができかつコストを低減できる。
【０００９】
発明３に係るスピニングリールのスプールは、発明１又は２に記載のスプールにおいて、糸巻胴部は、釣り糸が巻き付けられる外周部が金属薄板製の外装部材で覆われており、外装部材の後端部は、後フランジ部に形成された環状部に嵌め込まれている。この場合には、合成樹脂製の糸巻胴部の表面が外装部材で覆われるので、軽量化やコストダウンを図りつつ金属光沢の高級感がある外観が得られる。さらに、外装部材の後端部が環状部にはめ込まれているので、外装部材の後端部の変形を抑えることができる。
【００１０】
発明４に係るスピニングリールのスプールは、スプール軸に軸受を介して回転自在に装着されるスピニングリールのスプールであって、糸巻胴部と、軸受収納部と、前後のフランジ部と、スカート部とを備えている。糸巻胴部は、後面に環状溝が形成され、外周に釣り糸が巻き付けられる合成樹脂製のものである。軸受収納部は、軸受が着脱可能に収納される金属製の筒状部と、筒状部と一体形成され環状溝に係合して装着され糸巻胴部の後面に固定された円板部とを有し、スプール着脱時に軸受が筒状部から外れるものである。前後のフランジ部は、糸巻胴部の前後に配置された大径のものである。スカート部は、後フランジ部の外周部から後方に延びるものである。この場合には、軸受収納部全体が金属製であるので、強度がさらに高くなる。また、合成樹脂製の糸巻胴部の後部も補強される。
【００１１】
発明５に係るスピニングリールのスプールは、発明４に記載のスプールにおいて、糸巻胴部は、釣り糸が巻き付けられる外周部が金属薄板製の外装部材で覆われている。この場合には、合成樹脂製の糸巻胴部の表面が外装部材で覆われるので、軽量化やコストダウンを図りつつ金属光沢の高級感がある外観が得られる。
【００１２】
発明６に係るスピニングリールのスプールは、発明５に記載のスプールにおいて、スカート部は、外装部材と一体形成されている。この場合には、糸巻胴部の周囲からよく目立つスカート部にかけて金属光沢の高級感がある外観が得られる。
【００１３】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１４】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１５】
ロータ駆動機構５は、ハンドル１が固定されたハンドル軸１０とともに回転するフェースギア１１と、このフェースギア１１に噛み合うピニオンギア１２とを有している。ピニオンギア１２は筒状に形成されており、その前部は、ロータ３の中心部を貫通し、ナットによりロータ３と固定されている。ピニオンギア１２は、その軸方向の中間部と後端部とが、それぞれ軸受を介してリール本体２に回転自在に支持されている。
【００１６】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００１７】
ロータ３は、図２に示すように、円筒部３０と、円筒部３０の側方に互いに対向して設けられた第１及び第２ロータアーム３１、３２とを有している。円筒部３０と両ロータアーム３１、３２とは、たとえばアルミニウム合金製であり一体成形されている。
【００１８】
第１ロータアーム３１は、円筒部３０から外方に凸に湾曲して前方に延びており、円筒部３０との接続部分は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００１９】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２箇所で接続されている。第２ロータアーム３２の先端内周側には、第２ベール支持部材４２が揺動自在に装着されている。
【００２０】
ラインローラ４１と第２ベール支持部材４２との間には線材を略Ｕ状に湾曲させた形状のベール４３が固定されている。これらの第１及び第２ベール支持部材４０、４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２１】
〔スプールの構成〕
スプール４は、ロータ３の第１ロータアーム３１と第２ロータアーム３２との間に配置されており、スプール軸１５にボールベアリングからなる前後２つの軸受５０，５１を介して回転自在に装着されている。スプール軸１５の先端部には、図３に示すように互いに平行な面取り部１５ａが形成されている。スプール４は、前後の軸受５０，５１が収納される第１及び第２軸受収納部７ａ，７ｂと、第１及び第２軸受収納部７ａ，７ｂが設けられる糸巻胴部７と、糸巻胴部７の前後に配置された大径の前後のフランジ部８ａ，８ｂと、後フランジ部８ｂと一体形成され後フランジ部８ｂの外周部から後方に延びるスカート部９と、前フランジ部８ａを糸巻胴部７に固定するためのフランジ固定部材５２とを有している。
【００２２】
糸巻胴部７は、外周に釣り糸が巻き付けられる筒状の合成樹脂製の部材であり、円筒部７ｃと、筒状部の内周部から中心側に延びる壁部７ｄとを有している。円筒部７ｃ内の壁部７ｄの前方には、スプールの糸繰り出し方向の回転を制動するドラグ機構６０が収納されている。壁部７ｄの内周側前面には前側の第１軸受収納部７ａが筒状に形成され、内周側後面には後側の第２軸受収納部７ｂが筒状に形成されている。糸巻胴部７の前端部には、前フランジ部８及びフランジ固定部材５２をねじ固定するための雌ねじ孔がそれぞれ複数箇所形成されている。
【００２３】
第１軸受収納部７ａは、壁部７ｄと一体形成されている。第１軸受収納部７ａの内部に軸受５０の外輪が装着されている。軸受５０の内輪は、スプール軸１５に回転不能に係止された軸受支持部５３に装着されている。軸受支持部５３は、スプール軸１５を貫通する六角穴付き止めねじ５４によりスプール軸１５に対して回転不能かつ軸方向移動不能に係止されている。軸受５０は、スプール着脱時にはスプール４とともに軸受支持部５３から外れる。
【００２４】
第２軸受収納部７ｂは、軸受５１が収納される第１筒状部７ｅと、第１筒状部を覆う合成樹脂製の第２筒状部７ｆとを有している。第１筒状部７ｅは、たとえばアルミニウム合金製の薄板材をプレス成形して得られたものであり、糸巻胴部７に比べて強度が高いものである。第１筒状部７ｅは、後フランジ部８ｂ及びスカート部９と一体でプレス成形されている。第１筒状部７ｅを含むプレス成形された後フランジ部８ｂは、取付ねじ５５により糸巻胴部７の後面に固定されている。第２筒状部７ｆは、糸巻胴部７の後面から後方に突出する部分であり、糸巻胴部７と一体形成された合成樹脂製のものである。
【００２５】
軸受５１の外輪は第２軸受収納部７ｂの第１筒状部７ｅの内部に装着されている。また、軸受５１の内輪は軸受支持部５３に装着されている。軸受５１の内輪の後端は、係止座金５６により後方への移動が規制されている。軸受５１は、スプール着脱時には第２軸受収納部７ｂから外れて軸受支持部５３に残る。このとき、第２軸受収納部７ｂが圧縮変形すると、軸受５１が第２軸受収納部７ｂから抜けにくくなる。しかし、第２軸受収納部７ｂには、金属製の第１筒状部７ｅが設けられ、この第１筒状部７ｅに軸受５１が装着されているので、第２軸受収納部７ｂは圧縮変形しにくくなり、軸受５１が第２軸受収納部７ｂから抜けやすくなる。しかも、第１筒状部７ｅは、後フランジ部８ｂ及びスカート部９と一体でプレス形成されているので、単独の筒状部より強度が強くなりより変形しにくくなる。
【００２６】
前フランジ部８ａは、ステンレス合金製の環状部材であり、後方に折れ曲がるようにカーリング加工が施されている。前フランジ部８ａは糸巻胴部７にねじ固定されている。また、前フランジ部８ａは、フランジ固定部材５２によっても糸巻胴部７に固定されている。糸巻胴部７の前端部と前フランジ部８との間には、金属製の補強部材７０が装着されている。
【００２７】
フランジ固定部材５２は、前フランジ部８ａを糸巻胴部７の前端部とで挟み込むようにして、糸巻胴部７にねじ固定されている。なお、フランジ固定部材５２の雌ねじ孔は、前フランジ部８ａの雌ねじ孔と位置が異なるようにずれて配置されている。
【００２８】
補強部材７０は、たとえばリング板状の金属製の部材である。補強部材７０には、糸巻胴部７、前フランジ部８ａ及びフランジ固定部材５２の雌ねじ孔と連通する貫通孔が複数箇所形成されている。補強部材７０は、糸巻胴部７の圧縮変形による前フランジ部８ａへの杖糸の噛み込みを防止するために設けられている。補強部材７０の外周部は、糸巻胴部７に形成された円形の凹部の縁に接触している。
【００２９】
スカート部９は、前述したように後フランジ部８ｂと一体形成された金属製の部分である。スカート部９は、ロータ３の円筒部３０を覆うように配置されている。
【００３０】
このようなスプール４では、糸巻胴部７の前部には金属製の補強部材７０が取り付けられているとともに後部には後フランジ部が取り付けられているので、糸巻胴部７の強度を高く維持することができる。また、第２軸受収納部７ｂには、金属製の第１筒状部７ｅが設けられているので、糸巻胴部７が圧縮変形しても軸受５１が着脱しやすくなる。
【００３１】
次にスプール４の着脱手順について説明する。
【００３２】
スプール４を取り外すときには、ドラグ機構６０のドラグつまみを反時計回りに回してスプール軸１５から取り外す。すると、スプール４がスプール軸から外れる。このとき、前述したように軸受５０はスプール４とともに軸受支持部５３らか外れるが、軸受５１は軸受支持部５３に残る。このように軸受５１がスプール４から外れる際に、第２軸受収納部が第１筒状部７ｅにより補強されているので、釣り糸がスプール４に強く巻き付けられても、第２軸受収納部７ｂが圧縮変形しにくくなる。このため、軸受５１がスプール４から抜けやすくなる。
【００３３】
〔他の実施形態〕
（ａ）前記実施形態では、後フランジ部と第２軸受収納部とを一体成形したが、別々に成形してもよい。
【００３４】
図４において、糸巻胴部１０７の外周部は、たとえばアルミニウム合金製の外装部材６５で覆われている。これにより、糸巻胴部１０７の外周面が金属光沢を有する高級感のある外観になる。外装部材６５は、後フランジ部１０８ｂ及びスカート部９と一体でプレス成形されている。したがって、外装部材６５を含むプレス成形品は大小２段の筒状部材となる。このプレス成形品は、後フランジ部１０８ｂでねじ８１により糸巻胴部１０７に固定されている。外装部材６５の前端は、前フランジ部１０８ａに形成された環状溝１０８ｃにはめ込まれている。これにより、外装部材６５の先端の変形を抑えることができる。
【００３５】
第２軸受収納部１０７ｂは、たとえばアルミニウム合金製の薄板材をプレス成形して得られたものであり、軸受５１の外周側に配置される筒状部１０７ｅと、筒状部１０７ｅと一体成形され糸巻胴部１０７の後面に固定される円板部１０７ｆとを有している。この実施形態では、第２軸受収納部１０７ｂは、金属製である。第２軸受収納部１０７ｂは、軸受５１の収納部分を補強するとともに糸巻胴部１０７の後部をも補強している。すなわち、円板部１０７ｆは、糸巻胴部１０７の後面に形成された環状溝１０７ｇに係合して装着されており、これにより、合成樹脂製の糸巻胴部１０７が補強される。
【００３６】
（ｂ）前記他の実施形態では、外装部材６５と後フランジ部１０８ｂとを一体成形したが、外装部材１６５を単独で筒状に形成しても良い。
【００３７】
図５において、外装部材１６５は、たとえばアルミニウム合金製であり、糸巻胴部２０７の前端面に配置される円板部１６５ａと、円板部１６５ａと一体成形され糸巻胴部２０７の外周面に配置される筒状部１６５ｂとを有している。筒状部１６５ｂの後端部は、後フランジ部２０８ｂに形成された環状部２０８ｄにはめ込まれている。これにより、外装部材１６５の後端の変形を抑えることができる。また、外装部材１６５の前端には、一体で円板部１６５ａが形成されているので、この部分の変形も抑えることができる。
【００３８】
第２軸受収納部２０７ｂは、軸受５１の外周側に配置された筒状部２０７ｅを有している。第２軸受収納部２０７ｂは、後フランジ部２０８ｂ及びスカート部９と一体でプレス成形されている。筒状部２０７ｅは、糸巻胴部２０７の内周部と軸受５１との間に配置され、糸巻胴部２０７の内周部を補強して圧縮変形しにくくしている。
【００３９】
（ｃ）前記実施形態では、第１軸受収納部を補強していないが、第１軸受収納部も金属製の筒状部で補強してもよい。
【００４０】
【発明の効果】
本発明によれば、軸受収納部の少なくとも一部を合成樹脂より強度が高い金属製にして補強しているので、軸受収納部は圧縮しにくくなり、糸巻胴部に圧縮力が作用しても、軸受の取り外しや交換を行いやすくなる。
【図面の簡単な説明】
【図１】  本発明の一実施形態によるスピニングリールの右側面図。
【図２】  前記スピニングリールの左側面断面図。
【図３】  前記スピニングリールのスプールの拡大断面図。
【図４】  他の実施形態の図３に相当する図。
【図５】  さらに他の実施形態の図３に相当する図。
【符号の説明】
２  リール本体
４  スプール
７  糸巻胴部
７ｂ  第２軸受収納部
７ｅ  第１筒状部
７ｆ  第２筒状部
８ａ  前フランジ部
８ｂ  後フランジ部
９  スカート部
【図１】
0003854823.tif 000002
【図２】
0003854823.tif 000003
【図３】
0003854823.tif 000004
【図４】
0003854823.tif 000005
【図５】
0003854823.tif 000006